(57)【特許請求の範囲】
【請求項１】
第１基板を間に置いて両面に各々形成された第１導電層及び第２導電層を具備する第１基板と、
前記第２導電層と対向する面に透明画素電極と透明共通電極を具備する第２基板と、
前記第２導電層と前記透明共通電極を電気的に連結する電気的連結部と、
前記第１基板に形成された、カラーフィルタパターンたちを有するカラーフィルタ層とを具備し、
前記透明共通電極に印加された共通電圧が前記電気的連結部を通じて前記第２導電層に印加され、前記第２導電層は、前記カラーフィルタパターンたちの間にパターニングされて形成された導電性遮光層であり、前記第１導電層は、前記導電性遮光層に対応される形状でパターニングされることを特徴とする横電界モード液晶表示装置。
【請求項２】
前記第１導電層及び第２導電層は、導電性偏光板をさらに含むことを特徴とする請求項１に記載の横電界モード液晶表示装置。
【請求項３】
前記第１導電層及び第２導電層は、金属材料または導電性レジンで形成されることを特徴とする請求項１に記載の横電界モード液晶表示装置。
【請求項４】
前記第１導電層と第２導電層との間にオーバーコート層をさらに具備することを特徴とする請求項１に記載の横電界モード液晶表示装置。
【発明の詳細な説明】
【技術分野】
【０００１】
本発明は、同一基板に画素電極と共通電極が形成される横電界モード液晶表示装置に関し、より詳しくは、 第１基板の一側に形成された第１導電層と、電気的連結部を通じて共通電圧が印加されて第１基板の他側に形成された第２導電層の間に誘導電場を形成することによって、外部静電気による液晶分極現象を抑制してディスプレイ画質をより改善することができる横電界モード液晶表示装置に関する。
【背景技術】
【０００２】
最近、横電界方式（ＩＰＳ：In-Plane Switching Mode）液晶表示装置に対する研究が活発に進行されているが、この横電界方式の液晶表示装置は２つの電極を同一な基板上に形成し、２つの電極の間に電圧を印加して基板に対して水平電界またはフリンジ電界を発生させる。
【０００３】
以下、添付した図面を参照しながら従来技術に係る横電界方式の液晶表示装置の構造を概略的に説明すれば、次の通りである。
【０００４】
図１は、従来の技術による横電界方式の液晶表示装置を概略的に示す断面図である。
【０００５】
図１に例示された従来技術に係る横電界方式の液晶表示装置は、画素電極と共通電極が形成されたピクセルアレイ２２が下部基板２０の一側に形成されるので、電極がない上部基板１０方向から静電気が発生すると、液晶層（ＬＣ）４０に静電気による液晶分極現象が発生して、ディスプレイの画質を低下させる可能性がある。したがって、このような液晶分極現象を防止するために、上部基板１０の裏面に透明導電層１６をコーティングし、モールドフレーム２９を囲んでいるＳＵＳベゼル（SUS Bezel）３０に銅箔テープ３２を連結することによって、静電気の流入時、ＳＵＳベゼル３０を通じて接地させて外部から流入した静電気を放電させる方式を使用した。
【０００６】
前述したように、透明導電層１６は、ＳＵＳベゼル３０と当接して接地電極の役目を遂行し、外部の静電気流入時、誘電体である上部基板１０の充填（Charging）を防止して静電気による電場が液晶４０の内部に侵入することを防止する。
【０００７】
しかしながら、モバイル及びポータブルのような小型、軽量、及び薄型のために金属ＳＵＳベゼル３０が除去される場合は、上部基板１０の裏面に形成された透明導電層１６がフローティング（floating）ならざるを得なくて、静電気を完壁に遮蔽できない問題点がある。
【発明の開示】
【発明が解決しようとする課題】
【０００８】
したがって、本発明は、前述した問題点を解決するために案出したものであって、本発明の目的は、 第１導電層と、電気的連結部を通じて共通電位が印加される第２導電層の間に誘導電場を形成することによって、外部静電気による液晶分極現象を抑制して、ディスプレイ画質をより改善できる横電界モード液晶表示装置を提供することにある。
【課題を解決するための手段】
【０００９】
前述した目的を達成するために、本発明の一形態は、第１基板を間に置いて両面に各々形成された第１導電層及び第２導電層を具備する第１基板と、前記第２導電層と対向する面に透明画素電極と透明共通電極を具備する第２基板と、前記第２導電層と前記透明共通電極を電気的に連結する電気的連結部とを具備し、前記透明共通電極に印加された共通電圧が前記電気的連結部を通じて前記第２導電層に印加されることを特徴とする横電界モード液晶表示装置を提供する。
【００１０】
好ましくは、第１基板には、カラーフィルタパターンたちを有するカラーフィルタ層をさらに具備し、前記第２導電層は、 前記カラーフィルタパターンたちの間にパターニングされて形成された導電性遮光層であることができる。
【００１１】
好ましくは、前記第１導電層は、前記導電性遮光層に対応される形状でパターニングされることができる。
【００１２】
好ましくは、第１基板には、カラーフィルタパターンたちを有するカラーフィルタ層及びカラーフィルタパターンたちの間に形成された遮光層をさらに具備することができる。
【００１３】
好ましくは、第１基板には、カラーフィルタパターンたちを有するカラーフィルタ層及びカラーフィルタパターンたちの間に形成された遮光層をさらに具備し、前記第２導電層は、前記遮光層に対応される形状でパターニングされて形成されることができる。
【００１４】
好ましくは、前記第１導電層は、導電性偏光板に取り替えられることができる。
【００１５】
好ましくは、前記第１導電層の上部に導電性偏光板をさらに含むことができる。
【００１６】
好ましくは、前記第１導電層は、金属材料または導電性レジンで形成されることができる。
【００１７】
好ましくは、前記第１導電層は、透明金属材料または透明導電性レジンで全面に形成されることができる。
【００１８】
好ましくは、 前記第１導電層と第２導電層との間にオーバーコート層をさらに具備することができる。
【００１９】
本発明の他の形態は、絶縁物質層を間に置いて配置される第１導電層及び第２導電層を具備する第１基板と、前記第２導電層と対向する面に透明画素電極と透明共通電極を具備する第２基板を具備するものの、前記第２導電層と前記透明共通電極を電気的に連結する電気的連結部とを具備し、前記透明共通電極に印加された共通電圧が前記電気的連結部を通じて前記第２導電層に印加されることを特徴とする横電界モード液晶表示装置を提供する。
【００２０】
好ましくは、前記絶縁物質層は、平坦性を向上させるためのオーバーコート層であることができる。
【００２１】
好ましくは、第１基板には、カラーフィルタパターンたちを有するカラーフィルタ層をさらに具備し、前記第２導電層は、前記カラーフィルタパターンたちの間にパターニングされて形成された導電性遮光層であることができる。
【００２２】
好ましくは、前記第１導電層は、前記導電性遮光層に対応される形状でパターニングされることができる。
【００２３】
好ましくは、第１基板には、カラーフィルタパターンたちを有するカラーフィルタ層及びカラーフィルタパターンたちの間に形成された遮光層をさらに具備することができる。
【００２４】
好ましくは、第１基板には、カラーフィルタパターンたちを有するカラーフィルタ層及びカラーフィルタパターンたちの間に形成された遮光層をさらに具備し、前記第２導電層は、前記遮光層に対応される形状でパターニングされることができる。
【００２５】
好ましくは、前記第１導電層は、導電性偏光板に取り替えられることができる。
【００２６】
好ましくは、前記第１導電層の上部に導電性偏光板をさらに含むことができる。
【００２７】
好ましくは、前記第１導電層は、金属材料または導電性レジンで形成されることができる。
【００２８】
好ましくは、前記第１導電層は、透明金属材料または透明導電性レジンで全面に形成されることができる。
【発明の効果】
【００２９】
本発明によると、基板の一側に形成された導電層と、前記基板の他側に形成され電気的連結部を通じて共通電位が印加される第２導電層によって外部静電気が発生する場合、誘導電気場を形成することによって、 外部静電気による液晶分極現象を抑制してディスプレイ画質を改善することができる効果がある。
【００３０】
また、基板の下部に形成される第１導電層と、前記第１導電層と絶縁されてその下部に形成され電気的連結部を通じて共通電位が印加される第２導電層によって外部静電気が発生する場合、誘導電気場を形成することによって、 外部静電気による液晶分極現象を抑制してディスプレイ画質を改善することができる効果がある。
【発明を実施するための最良の形態】
【００３１】
以下、添付図面を参照しながら本発明の実施形態を詳細に説明する。しかしながら、次に例示する本発明の実施形態は種々の他の形態に変形されることができ、本発明の範囲が次に説明する実施形態に限定されるものではない。本発明の実施形態は、当業界で通常の知識を有する者に本発明をより完全に説明するために提供されるものである。
【００３２】
図２ａは本発明の一実施形態に係る横電界モード液晶表示装置を概略的に示す断面図であり、図２ｂは図２ａのトランスファードッティング部を含む横電界モード液晶表示装置の概略的な平面図である。
【００３３】
図２ａ及び図２ｂを参照して、本実施形態による横電界モード液晶表示装置を説明すると、次の通りである。
【００３４】
本実施形態に係る横電界モード液晶表示装置は、第１基板２１０、カラーフィルタ層２１２Ｒ、２１２Ｇ、２１２Ｂ、導電性遮光層２１４、導電層２１６、第２基板２２０、透明画素電極と透明共通電極からなるピクセルアレイ２２２、及び電気的連結部２２４を含む。
【００３５】
導電層２１６は、第１基板２１０の一側面に形成され、第１基板２１０の一側の全面に形成される場合は、酸化インジウムスズ（ＩＴＯ；Indium Tin Oxide）、または酸化インジウム亜鉛（ＩＺＯ；Indium Zinc Oxide）のように、光の透過率が比較的優れる透明導電性金属材料または透明導電性レジン（resin）を利用して形成することができ、第１基板２１０の一側面に導電性遮光層２１４に対応するように、パターニングされて形成された場合は、上記透明導電性金属材料及び透明導電性レジンを含むしてすベての種類の金属材料及び導電性レジンで形成されることができる。ここで、透明導電性レジンは、酸化インジウムスズパウダーとアクリルとの混合物（ITO Powder+Acryl）またはエポキシ（Epoxy）などからなることができる。
【００３６】
上部導電性偏光板２１９が導電層２１６の上部に形成されることができる。一方、導電層２１６無しで、第１基板２１０の上部に上部導電性偏光板２１９単独で形成されることができる。
【００３７】
導電性遮光層（black matrix）２１４は、光の漏洩を防止する役目をし、好ましくはクロム（Ｃｒ）を含む。導電性遮光層２１４は、第１基板２１０の他側面に一定の間隔で形成されており、一般的に、赤色、緑色、及び青色のカラーフィルタ層２１２Ｒ、２１２Ｇ、２１２Ｂの間を区分する。
【００３８】
カラーフィルタ層２１２Ｒ、２１２Ｇ、２１２Ｂは、各導電性遮光層２１４の間に赤色、緑色、及び青色のカラーフィルタパターンが交互に配列されてなされており、このようなカラーフィルタ層２１２Ｒ、２１２Ｇ、２１２Ｂは、通常、感光性有機物質からなっている。一方、カラーフィルタ層２１２Ｒ、２１２Ｇ、２１２Ｂの下部にはカラーフィルタ層２１２Ｒ、２１２Ｇ、２１２Ｂにより発生する段差を除去して平坦性を向上させるためにオーバーコート層（overcoat layer）２１８が選択的に形成されることができる。
【００３９】
第２基板２２０の一側面に透明画素電極と透明共通電極からなるピクセルアレイ２２２が形成される。一方、具体的に図示してはいないが、相互交差する方向に形成されるゲートラインとデータラインにより各画素領域が規定され、ゲートライン及びデータラインの交差部にはスイッチング素子が配置されており、画素電極と透明共通電極は絶縁層を間に置いて所定領域重畳するように離隔配置され、液晶層２３０に電圧を印加して光透過量を調節するために画素領域内に形成される。
【００４０】
電気的連結部２２４は、導電性遮光層２１４とピクセルアレイ２２２の透明共通電極に電気的に接続され、伝導率が高い金属、好ましくは、銀（Ａｇ）を含むトランスファードッティング部を含むか、または金（Ａｕ）を含む導電性封入部材を含む。
【００４１】
共通電圧がピクセルアレイ２２２の透明共通電極に印加されると、電気的連結部２２４を通じて導電性遮光層２１４に共通電圧が印加されて導電性遮光層２１４と導電層２１６との間に誘導電場が形成されて、外部静電気が発生しても液晶層２３０に影響を与えれない。即ち、図２ａの第１基板２１０に縦方向に表示された両側矢印のように、誘導電場が導電層２１６と導電性遮光層２１４との間に形成されて液晶層２３０には液晶分極現象が発生しない。
【００４２】
図２ａ及び図２ｂに図示された未説明符号は、封入部材（seal member）２２５、下部偏光板２２６、バックライトユニット２２８、及びモールドフレーム２２９である。
【００４３】
電気的連結部２２４がトランスファードッティング部である場合、図２ｂに示すように、トランスファードッティング部２２４は、画素領域を囲む封入部材２２５の外部に形成されることが好ましい。
【００４４】
ここで、導電層２１６が上部導電性偏光板２１９単独に取り替えられた例では、誘導電場が上部導電性偏光板２１９と導電性遮光層２１４との間に形成される。
【００４５】
図３は、本発明の他の実施形態に係る横電界モード液晶表示装置を概略的に示す断面図である。
【００４６】
図３を参照すると、横電界モード液晶表示装置は、第１基板３１０、カラーフィルタ層３１２Ｒ、３１２Ｇ、３１２Ｂ、遮光層３１４、第１導電層３１６、第２導電層３１７、第２基板３２０、透明画素電極と透明共通電極からなるピクセルアレイ３２２、及び電気的連結部３３２を含む。
【００４７】
第１導電層３１６は、第１基板３１０の一側面に形成され、第１基板３１０の一側の全面に形成される場合は、酸化インジウムスズ（ＩＴＯ；Indium Tin Oxide）、または酸化インジウム亜鉛（ＩＺＯ；Indium Zinc Oxide）のように、光の透過率が比較的優れる透明導電性金属材料または透明導電性レジンを利用して形成することができ、第１基板３１０の一側面に導電性遮光層３１４に対応するように、パターニングされて形成された場合は、上記透明導電性金属材料及び透明導電性レジンを含むしてすベての種類の金属材料及び導電性レジンで形成されることができる。ここで、透明導電性レジンは、酸化インジウムスズパウダーとアクリルとの混合物（ITO Powder+Acryl）、またはエポキシ（Epoxy）などからなることができる。
【００４８】
上部導電性偏光板３１９が第１透明導電層３１６の上部に形成されることができる。一方、第１基板３１０の上部に第１透明導電層３１６無しで、上部導電性偏光板３１９が単独で形成されることができる。
【００４９】
遮光層３１４は、光の漏洩を防止する役目をし、好ましく樹脂（resin）を含む。樹脂からなる遮光層３１４は、外部入射光を反射させなくて、外部環境でも鮮明なディスプレイを具現することができ、超高輝度具現の際、内部反射により発生する赤みがかった色（Reddish）を容易に除去することができ、液晶表示装置の設計及び製造工程が単純化されることができる。
【００５０】
遮光層３１４は、第１基板３１０他側面に一定の間隔で形成されており、一般的に、赤色、緑色、及び青色のカラーフィルタ層３１２Ｒ、３１２Ｇ、３１２Ｂの間を区分する。
【００５１】
カラーフィルタ層３１２Ｒ、３１２Ｇ、３１２Ｂは、各遮光層３１４の間に赤色、緑色、及び青色のカラーフィルタパターンが交互に配列されてなされており、通常、感光性有機物質からなっている。
【００５２】
第２導電層３１７は、実質的に遮光層３１４の形態でパターニングされて遮光層３１４の下部に形成される。
【００５３】
一方、カラーフィルタ層３１２Ｒ、３１２Ｇ、３１２Ｂの下部にはカラーフィルタ層３１２Ｒ、３１２Ｇ、３１２Ｂにより発生する段差を除去して平坦性を向上させるために、オーバーコート層３１８が選択的に形成されることができ、この場合、第２導電層３１７はオーバーコート層３１８の下部に形成されることができる。
【００５４】
また、第２導電層３１７は第２基板３２０と遮光層３１４との間に形成されることができ、 この場合、第２基板３２０の全面に形成されか、または遮光層３１４の形態でパターニングされて形成されることができる。
【００５５】
第２基板３２０の一側面に透明画素電極と透明共通電極からなるピクセルアレイ３２２が形成される。一方、相互交差する方向に形成されるゲートラインとデータライン（図示せず）により各画素領域が規定され、ゲートライン及びデータラインの交差部にはスイッチング素子が配置されており、画素電極と透明共通電極は、絶縁層（図示せず）を間に置いて所定領域重畳されるように離隔配置され、液晶層３３０に電圧を印加して光透過量を調節するために画素領域内に形成される。
【００５６】
電気的連結部３３２は、第２導電層３１７とピクセルアレイ３２２の透明共通電極に電気的に接続され、好ましくは、伝導率が高い金属、好ましくは、銀（Ａｇ）を含むトランスファードッティング部を含むか、または金（Ａｕ）を含む導電性封入部材を含む。
【００５７】
共通電圧がピクセルアレイ３２２の透明共通電極に印加されると、電気的連結部３３２を通じて第２導電層３１７に共通電圧が印加されて第２導電層３１７と第１導電層３１６との間に誘導電場が形成されて、外部静電気が発生しても液晶層３３０に影響を与えれない。即ち、矢印で表示されたように、誘導電場が第１導電層３１６と第２導電層３１７との間に形成されて液晶層３３０には液晶分極現象が生じない。
【００５８】
一方、図３に示すように、横電界モード液晶表示装置は、封入部材３２５、下部偏光板３２６、バックライトユニット３２８、及びモールドフレーム３２９をさらに含む。
【００５９】
ここで、第１導電層３１６が上部導電性偏光板３１９に取り替えられた例では、誘導電場が上部導電性偏光板３１９と第２導電層３１７との間に形成される。
【００６０】
一方、具体的に言及されない液晶表示装置の基本的な構成要素、例えば薄膜トランジスタ基板または液晶層など、一般的な液晶表示装置に適用されたものと同一であるので、これに対する詳細な説明は省略する。
【００６１】
図４は、本発明のさらに他の実施例による横電界モード液晶表示装置を概略的に示す断面図である。
【００６２】
図４を参照して、本実施例による横電界モード液晶表示装置を説明する。
【００６３】
本実施例による横電界モード液晶表示装置は、第１基板４１０、カラーフィルタ層４１２Ｒ、４１２Ｇ、４１２Ｂ、導電性遮光層４１４、導電層４１６、第１オーバーコート層４１７、第２基板４２０、透明画素電極と透明共通電極よりなるピクセルアレイ４２２及び電気的連結部４２４を含む。
【００６４】
導電層４１６は、第１基板４１０と第１オーバーコート層４１７との間に形成されており、第１基板４１０の下部全面に形成される場合には、酸化インジウムスズ（ＩＴＯ；Indium Tin Oxide）、または酸化インジウム亜鉛（ＩＺＯ；Indium Zinc Oxide）のように、光の透過率が比較的優れる透明導電性金属材料または透明導電性レジンを利用して形成することができ、第１基板４１０の下部に導電性遮光層４１４に対応するように、パターニングされて形成された場合は、上記透明導電性金属材料及び透明導電性レジンを含むしてすベての種類の金属材料及び導電性レジンで形成されることができる。ここで、透明導電性レジンは、酸化インジウムスズパウダーとアクリルとの混合物（ITO Powder+Acryl）、またはエポキシ（Epoxy）などからなることができる。そして、第１基板４１０の上部に導電性偏光板４１９が形成されることができる。
【００６５】
導電性遮光層（black matrix）４１４は、光の漏洩を防止する役目をし、好ましくは、クロム（Ｃｒ）を含む。導電性遮光層４１４は、第１オーバーコート層４１７の下部に一定の間隔で形成されており、一般的に赤色、緑色及び青色のカラーフィルタ層４１２Ｒ、４１２Ｇ、４１２Ｂの間を区分する。
【００６６】
カラーフィルタ層４１２Ｒ、４１２Ｇ、４１２Ｂは、各導電性遮光層４１４の間に赤色、緑色及び青色のカラーフィルタパターンが交互に配列されてなり、このようなカラーフィルタ層４１２Ｒ、４１２Ｇ、４１２Ｂは、通常感光性有機物質よりなる。一方、カラーフィルタ層４１２Ｒ、４１２Ｇ、４１２Ｂの下部には、カラーフィルタ層４１２Ｒ、４１２Ｇ、４１２Ｂによって発生する段差を除去して平坦性を向上させるために、第２オーバーコート層４１８が選択的に形成されることができる。
【００６７】
第２基板４２０の一側面には、透明画素電極と透明共通電極よりなるピクセルアレイ４２２が形成される。一方、具体的に図示してはいないが、相互交差する方向に形成されるゲートラインとデータラインによって各画素領域が規定され、ゲートライン及びデータラインの交差部には、スイチング素子が配置されており、画素電極と透明共通電極は、絶縁層を間に置いて所定の領域が重畳するように離隔配置され、液晶層（ＬＣ）４３０に電圧を印加して光透過量を調節するために、画素領域内に形成される。
【００６８】
電気的連結部４２４は、導電性遮光層４１４とピクセルアレイ４２２の透明共通電極に電気的に接続され、伝導率が高い金属、好ましくは、銀（Ａｇ）を含むトランスファードッティング部を含むか、または金（Ａｕ）を含む導電性封入部材を含む。
【００６９】
共通電圧がピクセルアレイ４２２の透明共通電極に印加されれば、電気的連結部４２４を通じて導電性遮光層４１４に共通電圧が印加され、導電性遮光層４１４と導電層４１６との間に誘導電気場が形成され、外部静電気が発生しても液晶層４３０に影響を与えない。すなわち、図４の第１オーバーコート層４１７に表示された矢印のように、誘導電場が導電層４１６と導電性遮光層４１４との間に形成され、液晶層４３０には液晶分極現象が発生しない。
【００７０】
図４に示されてはいるが、本明細書で特に言及していない参照符号は、封入部材４２５、下部偏光板４２６、バックライトユニット４２８及びモールドフレーム４２９である。
【００７１】
図５は、本発明のさらに他の実施例による横電界モード液晶表示装置を概略的に示す断面図である。
【００７２】
図５を参照して、横電界モード液晶表示装置は、第１基板５１０、カラーフィルタ層５１２Ｒ、５１２Ｇ、５１２Ｂ、遮光層５１４、第１導電層５１６ａ、第２導電層５１６ｂ、第２基板５２０、透明画素電極と透明共通電極よりなるピクセルアレイ５２２及び電気的連結部５３２を含む。
【００７３】
第１導電層５１６ａは、第１基板５１０の下部に形成されており、第１基板５１０の一側全面に形成される場合には、酸化インジウムスズ（ＩＴＯ；Indium Tin Oxide）、または酸化インジウム亜鉛（ＩＺＯ；Indium Zinc Oxide）のように、光の透過率が比較的優れる透明導電性金属材料または透明導電性レジンを利用して形成することができ、第１基板５１０の一側面に遮光層５１４に対応するように、パターニングされて形成された場合は、上記透明導電性金属材料及び透明導電性レジンを含むしてすベての種類の金属材料及び導電性レジンで形成されることができる。ここで、透明導電性レジンは、酸化インジウムスズパウダーとアクリルとの混合物（ITO Powder+Acryl）、またはエポキシ（Epoxy）などからなることができる。そして、第１基板５１０の上部に導電性偏光板５１９が形成されることができる。
【００７４】
遮光層５１４は、第１導電層５１６ａの下部に一定の間隔で形成されており、一般的に赤色、緑色及び青色のカラーフィルタ層５１２Ｒ、５１２Ｇ、５１２Ｂの間を区分する。
【００７５】
カラーフィルタ層５１２Ｒ、５１２Ｇ、５１２Ｂは、各遮光層５１４の間に赤色、緑色及び青色のカラーフィルタパターンが交互に配列されてなり、 通常感光性有機物質よりなる。一方、 第１導電層５１６ａ、カラーフィルタ層５１２Ｒ、５１２Ｇ、５１２Ｂの及び遮光層５１４の間に第１オーバーコート層５１７が選択的に形成されることができる。
【００７６】
第２導電層５１６ｂは、実質的に遮光層５１４の形態でパターニングされて遮光層５１４の下部に形成される。
【００７７】
一方、カラーフィルタ層５１２Ｒ、５１２Ｇ、５１２Ｂの下部にはカラーフィルタ層５１２Ｒ、５１２Ｇ、５１２Ｂにより発生する段差を除去して平坦性を向上させるために、第２オーバーコート層５１８が選択的に形成されることができ、この場合、第２導電層５１６ｂは第２オーバーコート層５１８の下部に形成されることができる。
【００７８】
また、第２導電層５１６ｂは第１オーバーコート層５１７と遮光層５１４との間に形成されることができ、この場合、第１オーバーコート層５１７の下部全面に形成されることができる。
【００７９】
第２基板５２０の一側面には、透明画素電極と透明共通電極よりなるピクセルアレイ５２２が形成される。一方、相互交差する方向に形成されるゲートラインとデータラインによって各画素領域が規定され、ゲートライン及びデータラインの交差部には、スイチング素子が配置されており、透明画素電極と透明共通電極は、絶縁層を間に置いて所定の領域が重畳するように離隔配置され、液晶層（ＬＣ）５３０に電圧を印加して光透過量を調節するために、画素領域内に形成される。
【００８０】
電気的連結部５３２は、第２導電層５１６ｂとピクセルアレイ５２２の透明共通電極に電気的に接続され、伝導率が高い金属、好ましくは、銀（Ａｇ）を含むトランスファードッティング部を含むか、または金（Ａｕ）を含む導電性封入部材を含む。
【００８１】
共通電圧がピクセルアレイ５２２の透明共通電極に印加されれば、電気的連結部５３２を通じて第２導電層５１６ｂに共通電圧が印加され、第２導電層５１６ｂと第１導電層５１６ａとの間に誘導電気場が形成され、外部静電気が発生しても液晶層５３０に影響を与えない。 即ち、矢印で表示されたように、誘導電場が第１導電層５１６ａと第２導電層５１６ｂとの間に形成されて液晶層５３０には液晶分極現象が生じない。
【００８２】
一方、図５に示されてはいるが、横電界モード液晶表示装置は、封入部材５２５、下部偏光板５２６、バックライトユニット５２８、及びモールドフレーム５２９をさらに含む。
【００８３】
一方、前述した本発明に係る横電界モード液晶表示装置に対する好ましい実施形態について説明したが、これに限定されるものではなく、液晶の光学的異方性と分極性質を利用する全ての液晶表示装置に適用可能である。また、特許請求範囲と発明の詳細な説明及び添付した図面の範囲内で様々に変形して実施することができ、これもまた本発明に属する。
【図面の簡単な説明】
【００８４】
【図１】従来の技術による横電界方式の液晶表示装置を概略的に示す断面図である。
【図２ａ】本発明の一実施形態による横電界モード液晶表示装置を概略的に示す断面図である。
【図２ｂ】図２ａのトランスファードッティング部を含む横電界モード液晶表示装置の概略的な平面図である。
【図３】本発明の他の実施形態に係る横電界モード液晶表示装置を概略的に示す断面図である。
【図４】本発明のさらに他の実施例による横電界モード液晶表示装置を概略的に示す断面図である。
【図５】本発明のさらに他の実施例による横電界モード液晶表示装置を概略的に示す断面図である。
【符号の説明】
【００８５】
２２、２２２、３２２    ピクセルアレイ
２０    下部基板
１０    上部基板
４０、２３０、３３０    液晶層
１６、３１６    透明導電層
２９、２２９、３２９    モールドフレーム
３０    ＳＵＳベゼル
３２    銅箔テープ
２１０、３１０    第１基板
２１４、３１４    遮光層
２１６    導電層
２２０、３２０    第２基板
２２４、３３２    電気的連結部
【図１】
0005257872.tif 000002
【図２ａ】
0005257872.tif 000003
【図２ｂ】
0005257872.tif 000004
【図３】
0005257872.tif 000005
【図４】
0005257872.tif 000006
【図５】
0005257872.tif 000007